(57)【要約】      （修正有）【課題】化粧道具本体側へのカバー部材の装着に連動させてオン・オフさせることのできる簡易な構造のスイッチ機構や、単一の発光素子で効果的に照明させることのできる構造を実現して、安価で壊れ難い照明機能付きの化粧道具を提供する。【解決手段】収容容器１１内に収納する刷毛が先端に設けられている柱状部材２３は、透明な導光材料により作製されて、段差部３２内に内蔵する発光素子の発光光を内部に導光して外周面から放射するように、外装部材から露出する状態で化粧道具本体２１に配設されており、その発光素子は、ボタン電池３３の接点電極が収容容器１１への着脱に連動して外装部材の底部の突起に押圧されることにより接点電極に接触・離隔して点灯・消灯するようになっている。【選択図】図１
0003154225.tif 000002
【実用新案登録請求の範囲】
【請求項１】
化粧道具本体の機能部を覆うように収納するカバー部材を備えて、該カバー部材を前記化粧道具本体側から離脱させて前記機能部を露出させた状態で使用する一方、未使用時には前記カバー部材を前記化粧道具本体側に装着して前記機能部を内部に収納させた状態にする化粧道具であって、
前記機能部は、前記化粧道具本体の外装部材から露出するように連設されている柱状部材の先端に配設されるとともに、前記柱状部材は、前記外装部材側の一端側端部から光を内部に導光して側面から外部に放射するように導光材料により作製されて前記化粧道具本体側に連設されており、
前記外装部材内には、光を発光して前記柱状部材に導光する単一の発光素子と、該発光素子に電力を供給する電池と、前記カバー部材の前記化粧道具本体側への装着または離脱に連動して前記電池からの電力供給を接断して前記発光素子を点灯・消灯するスイッチ機構と、が内蔵されているとともに、
前記スイッチ機構は、前記発光素子および前記電池の正負電極のうちの一方の接点電極同士が前記化粧道具本体に対する前記カバー部材の着脱する方向に接離可能に前記外装部材の底部側に配設されているとともに、前記接点電極同士を接近させて導通接触させる方向に付勢する付勢手段と、前記カバー部材の前記化粧道具本体側への装着時に前記付勢手段の付勢力に抗して前記接点電極間を離隔させる方向に該接点電極の一方を押圧するように前記外装部材の底部に形成されている突起と、を備えて構成されていることを特徴とする化粧道具。
【請求項２】
前記柱状部材は、前記外装部材側の一端側に前記発光素子を収容する収容穴が形成されているとともに、該収容穴に連続して先端側に向かう連続穴が形成されていることを特徴とする請求項１に記載の化粧道具。
【請求項３】
前記スイッチ機構は、前記外装部材の底部との間に該底部から離隔する方向に付勢する第２の付勢手段を備えており、該第２の付勢手段は、前記カバー部材の前記化粧道具本体側への装着時には付勢力に抗して前記突起が前記接点電極間を離隔させる方向に該接点電極の一方を押圧することを許容する一方、前記カバー部材の前記化粧道具本体側からの離脱時には前記突起から離隔する方向に付勢して前記接点電極の押圧を解除することを特徴とする請求項１または２に記載の化粧道具。
【考案の詳細な説明】
【技術分野】
【０００１】
本考案は、化粧道具に関し、詳しくは、暗い場所でも化粧することができるように照明機能付きの化粧道具に関する。
【背景技術】
【０００２】
化粧道具は、室内でも電灯を点けるなどして明るい環境で使用するのが一般的であるが、その電灯による照明がない場合などでも化粧することができるように照明機能を化粧道具に付与することが提案されている（例えば、特許文献１）。
【先行技術文献】
【特許文献】
【０００３】
【特許文献１】実用新案登録第３１３８１７６号公報
【考案の概要】
【考案が解決しようとする課題】
【０００４】
しかしながら、特許文献１に記載の照明機能付きの化粧道具にあっては、化粧道具本体において機能する刷毛などの機能部が先端側に配設されている柱状部材の基端部の両側からその機能部側に向かって照明光を照射する構造である。すなわち、柱状部材の影が形成されないように一対の発光素子を両側に配設する必要があり、コスト高になってしまう。
【０００５】
また、刷毛などの機能部が劣化・損傷しないようにカバー部材内に収納する際に、そのカバー部材の化粧道具本体側への装着に連動して、一対の発光素子をオン・オフするスイッチ機構を備える。しかるに、そのスイッチ機構を柱状部材の基端部側に構築するために、その装着に連動する部品が移動しつつ基端部側部材を貫通してスイッチ動作を実行する複雑な構造になっており、その連動部品が動き難くなるとオン・オフできなくなってしまう。
【０００６】
そこで、本考案は、化粧道具本体側へのカバー部材の装着に連動させてオン・オフさせることのできる簡易な構造のスイッチ機構や、単一の発光素子で効果的に照明させることのできる構造を実現して、安価で壊れ難い照明機能付きの化粧道具を提供することを目的としている。
【課題を解決するための手段】
【０００７】
上記課題を解決する化粧道具の考案は、化粧道具本体の機能部を覆うように収納するカバー部材を備えて、該カバー部材を前記化粧道具本体側から離脱させて前記機能部を露出させた状態で使用する一方、未使用時には前記カバー部材を前記化粧道具本体側に装着して前記機能部を内部に収納させた状態にする化粧道具であって、前記機能部は、前記化粧道具本体の外装部材から露出するように連設されている柱状部材の先端に配設されるとともに、前記柱状部材は、前記外装部材側の一端側端部から光を内部に導光して側面から外部に放射するように導光材料により作製されて前記化粧道具本体側に連設されており、前記外装部材内には、光を発光して前記柱状部材に導光する単一の発光素子と、該発光素子に電力を供給する電池と、前記カバー部材の前記化粧道具本体側への装着または離脱に連動して前記電池からの電力供給を接断して前記発光素子を点灯・消灯するスイッチ機構と、が内蔵されているとともに、前記スイッチ機構は、前記発光素子および前記電池の正負電極のうちの一方の接点電極同士が前記化粧道具本体に対する前記カバー部材の着脱する方向に接離可能に前記外装部材の底部側に配設されているとともに、前記接点電極同士を接近させて導通接触させる方向に付勢する付勢手段と、前記カバー部材の前記化粧道具本体側への装着時に前記付勢手段の付勢力に抗して前記接点電極間を離隔させる方向に該接点電極の一方を押圧するように前記外装部材の底部に形成されている突起と、を備えて構成されていることを特徴とするものである。
【０００８】
この考案では、カバー部材を外して機能部を露出させる際には、化粧道具本体の外装部材の底部側で、発光素子と電池の接点電極同士がその底部側の突起による押圧の解除と共に付勢手段の付勢力により導通接触されることになり、点灯する発光素子の発光光が柱状部材の一端側から内部に入光されて側面から外部に放射される。したがって、一つの発光素子で柱状部材先端の機能部の周囲を照明することができ、影を作ることなく化粧道具本体の機能部で化粧する付近を効果的に照明することができる。
【０００９】
一方、化粧道具本体の機能部をカバー部材内に収納する際には、化粧道具本体の外装部材の底部側の突起により、発光素子と電池の接点電極の一方が付勢手段の付勢力に抗して他方の接点電極から離隔する方向に押されて導通接触が解消されることになり、発光していた発光素子が消灯される。したがって、カバー部材の着脱に応じて貫通移動するなどの別部材を介すことなく、発光素子と電池の接点電極の一方を直接移動させてその発光素子を点灯・消灯させることができる。
【考案の効果】
【００１０】
このように本考案によれば、化粧道具本体の機能部で化粧する付近を一つの発光素子の発光光を柱状部材に導光して、影を作ることなく、十分に照明することができるとともに、別部材を介すことなく、カバー部材の着脱に応じて発光素子と電池の接点電極同士を直接接離させて点灯・消灯させることができる。したがって、カバー部材の化粧道具本体側への装着に連動させてオン・オフさせることのできる簡易構造のスイッチ機構で、単一の発光素子で効果的に照明させることのできる、安価で壊れ難い照明機能付きの化粧道具を提供することができる。
【図面の簡単な説明】
【００１１】
【図１】本考案に係る化粧道具の一実施形態を示す図であり、その概略全体構成を示す分解斜視図である。
【図２】その縦断面図である。
【図３】その要部部品の立面図である。
【図４】その要部部品の組み立て構造を示す分解斜視図である。
【図５】その部品同士の位置関係を示す図であり、（ａ）は未使用時の状態を示す一部縦断面図、（ｂ）はその使用開始時の状態を示す一部縦断面図である。
【図６】その他の実施形態の部品の構造を示す図であり、（ａ）は未使用時の状態を示す一部縦断面図、（ｂ）はその使用開始時の状態を示す一部縦断面図である。
【考案を実施するための形態】
【００１２】
化粧道具本体の機能部を覆うように収納するカバー部材を備えて、該カバー部材を前記化粧道具本体側から離脱させて前記機能部を露出させた状態で使用する一方、未使用時には前記カバー部材を前記化粧道具本体側に装着して前記機能部を内部に収納させた状態にする化粧道具であって、前記機能部は、前記化粧道具本体の外装部材から露出するように連設されている柱状部材の先端に配設されるとともに、前記柱状部材は、前記外装部材側の一端側端部から光を内部に導光して側面から外部に放射するように導光材料により作製されて前記化粧道具本体側に連設されており、前記外装部材内には、光を発光して前記柱状部材に導光する単一の発光素子と、該発光素子に電力を供給する電池と、前記カバー部材の前記化粧道具本体側への装着または離脱に連動して前記電池からの電力供給を接断して前記発光素子を点灯・消灯するスイッチ機構と、が内蔵されているとともに、前記スイッチ機構は、前記発光素子および前記電池の正負電極のうちの一方の接点電極同士が前記化粧道具本体に対する前記カバー部材の着脱する方向に接離可能に前記外装部材の底部側に配設されているとともに、前記接点電極同士を接近させて導通接触させる方向に付勢する付勢手段と、前記カバー部材の前記化粧道具本体側への装着時に前記付勢手段の付勢力に抗して前記接点電極間を離隔させる方向に該接点電極の一方を押圧するように前記外装部材の底部に形成されている突起と、を備えて構成されていることを基本構成とするのに加えて、次の構成を備えてもよい。
【００１３】
第１の形態としては、前記柱状部材は、前記外装部材側の一端側に前記発光素子を収容する収容穴が形成されているとともに、該収容穴に連続して先端側に向かう連続穴が形成されていてもよい。
【００１４】
この構成では、柱状部材は、発光素子の発光面の全面を内蔵する状態にして、その発光光を効率よく収容穴の内面から導光するとともに、さらに、先端側に延在する連続穴の内面からも導光することができ、その導光光を外面から放射して照明することができる。
【００１５】
第２の形態としては、前記スイッチ機構は、前記外装部材の底部との間に該底部から離隔する方向に付勢する第２の付勢手段を備えており、該第２の付勢手段は、前記カバー部材の前記化粧道具本体側への装着時には付勢力に抗して前記突起が前記接点電極間を離隔させる方向に該接点電極の一方を押圧することを許容する一方、前記カバー部材の前記化粧道具本体側からの離脱時には前記突起から離隔する方向に付勢して前記接点電極の押圧を解除するようにしてもよい。
【００１６】
この構成では、特に、カバー部材を外して機能部を露出させる際に、外装部材の底部から離隔する方向にスイッチ機構全体を付勢することができ、発光素子と電池の接点電極同士を離隔させる突起による押圧を積極的に解除させることにより、その接点電極同士を導通接触させる第１の付勢手段をアシストして、より確実に発光素子を点灯させて照明することができる。
【００１７】
以下、図面を参照して、本考案の実施形態について詳細に説明する。図１〜図５は本考案に係る化粧道具の一実施形態を示す図である。
【００１８】
図１および図２において、化粧道具１０は、例えば、化粧する対象の部位に塗り広げるグロスなどの化粧材を収容する収容容器１１と、その化粧材の一定量を保持しつつ塗り広げる化粧道具として機能する刷毛（機能部）２２を有する化粧道具本体２１と、を備えて構成されている。この化粧道具１０は、収容容器１１の内部に化粧道具本体２１の刷毛２２を差し込んで収納することにより、その刷毛２２が収容容器１１に覆われて保護されている状態で化粧材内に漬かるようになっている。すなわち、この化粧道具１０は、収容容器１１がカバー部材を構成して、その収容容器１１内から刷毛２２を引き抜いて露出させる状態で使用する一方、使用しないときにはその収容容器１１内に刷毛２２を収納して化粧材内に漬ける状態にして保管するようになっている。
【００１９】
収容容器１１は、化粧材の収容空間Ｓが内部に形成されているとともに一端側の開口する角筒形状に作製されており、その開口側端部には、化粧道具本体２１側に連結する連結部１２が連設されている。連結部１２は、収容空間Ｓに連続する円筒形状に形成されており、化粧道具本体２１の刷毛２２を内部に収納する経路を開口させているとともに、その円筒形状の外周面にネジ山１２ａが刻設されることにより雄ネジとして機能して化粧道具本体２１側と螺合させることができるようになっている。
【００２０】
化粧道具本体２１は、刷毛２２を柱状部材２３の先端に固設されて露出する状態にされており、その柱状部材２３は、その刷毛２２を含む大部分を露出させる状態で、収容容器１１に延在方向に連続する姿勢で連結する外装部材２４に連設されている。外装部材２４は、有底の角筒形状に形成されて閉塞部材２５をその開口側に固設するようになっており、柱状部材２３は、その閉塞部材２５を貫通して外装部材２４の内部に基端部２３ａが位置するとともに、その基端部２３ａが外装部材２４の底部２４ａから離隔する方向にスプリング（第２の付勢手段）２９で付勢されるように組み付けられている。
【００２１】
柱状部材２３は、先端側から連続する棒状部２３ｂに同軸に連続するように、段差を有する円筒形状の基端部２３ａが形成されており、その基端部２３ａは、後端側の開口する最大径の円筒形状に形成されている円筒部３１と、この円筒部３１に連続する内部空間を有して棒状部２３ｂとの間に位置する中間外径の円筒形状に形成されている段差部３２と、が連続して隣接するように棒状部２３ｂと共に透明の樹脂材料（導光材料）により一体成形されている。
【００２２】
この柱状部材２３は、基端部２３ａの円筒部３１内にボタン電池３３と共にスイッチ機構３４を収納するとともに、段差部３２内にＬＥＤの発光素子３５を収容するようになっており、その発光素子３５へのボタン電池３３からの電力をスイッチ機構３４で供給・遮断することにより、発光素子３５の発光光を段差部３２内から棒状部２３ｂ内に導光してその外周面側から放射するようになっている。また、柱状部材２３は、段差部３２内の発光素子３５の収容空間（収容穴）３２ａに連続して先端側に延在する延在空間（連続穴）２３ｃが形成されており、発光素子３５の発光光を棒状部２３ｂの外周面近傍の延在空間２３ｃの周縁から導光して効果的に放射することができるとともに、その延在空間２３ｃの内面から棒状部２３ｂの外周面側に導光して放射させるようになっている。このため、化粧道具１０は、単一の発光素子３５で柱状部材２３の外周面の全体を効率よく発光させて影を作ることなく付近を照明することができ、化粧する部位を明るくすることができる。
【００２３】
スイッチ機構３４は、図３に示すように、発光素子３５を立設させている基板４１と、その発光素子３５の正負電極のうちの一方に一端側を溶接接続されている電線４２の他端側に溶接接続されている接点電極４３と、基板４１を貫通する発光素子３５の正負電極のうちの他方に溶接接続されて接点電極として機能するように導電性材料よりなるスプリング（第１の付勢手段）４４と、を組み立てて構築されている。このスイッチ機構３４は、基板４１に立設されている発光素子３５を柱状部材２３の基端部２３ａの段差部３２内に内蔵させる向き（姿勢）にして円筒部３１内にスプリング４４も収納した後に、そのスプリング４４との間にボタン電池３３を挟持するように接点電極４３を取り付けてセットするようになっている。
【００２４】
このスイッチ機構３４に対して、柱状部材２３の基端部２３ａは、円筒部３１の外周面の軸方向に延在するスリット３１ａが軸心を中心にする対称位置に一対開口形成されており、組み立て時には、そのスリット３１ａの一方から接点電極４３を電線４２と共に外部に引き出してボタン電池３３を円筒部３１内に収納するようになっている。この後に、その接点電極４３は、ボタン電池３３の正負電極のうちの一方の接点電極３３ａとの間に位置するようにスリット３１ａの後端側小孔３１ｆ内に差し込んで位置決めすることによりスプリング４４の付勢力でそのボタン電池３３の接点電極３３ａを押し付けられている状態に組み付けるようになっている。このため、スイッチ機構３４は、開放状態では、発光素子３５の正負電極の一方の接点電極４３がスプリング４４の付勢力でボタン電池３３の正負電極の一方の接点電極３３ａに圧接して導通接触するようになっており、この状態では、発光素子３５は常時点灯させることになる。
【００２５】
外装部材２４の閉塞部材２５は、角筒形状の開口端と略同一形状の正方形に形成されている閉塞板２５ｂと、その閉塞板２５ｂの背面側に外周面の均等４箇所に縦リブ２５ｄが形成されている円筒形状部２５ｃとが一体形成されており、その外装部材２４の断面正方形の開口端部内に縦リブ２５ｄを位置決めしつつ円筒形状部２５ｃを嵌入することにより閉塞板２５ｂで閉塞するようになっている。
【００２６】
また、閉塞部材２５は、円筒形状部２５ｃの閉塞板２５ｂの反対側が柱状部材２３の基端部２３ａを嵌挿可能にその円筒部３１の外径程度の内径に形成されており、その円筒形状部２５ｃの内面には、図示することを省略するが、円筒部３１の外周面の周方向に延在する周リブ３１ｃを衝止して差込深さを位置決めする周リブが形成されているとともに、円筒部３１のスリット３１ａに連続する周リブ３１ｃの切欠３１ｄ内に案内して回転を制限する縦リブが形成されている。これにより、柱状部材２３の基端部２３ａは、外装部材２４の底部２４ａ側に介装されているスプリング２９により突出する方向に付勢されつつ、円筒部３１の周リブ３１ｃとスリット３１ａに閉塞部材２５の円筒形状部２５ｃ内の周リブと縦リブが係合して突出および回転することが制限される。
【００２７】
この閉塞部材２５は、円筒形状部２５ｃ内に収容容器１１の連結部１２を差込可能な内径を有するように形成されており、その内面にはその連結部１２のネジ山１２ａに螺合するネジ山２５ａが刻設されることにより、雌ネジとして機能して化粧道具本体２１側に外装部材２４を螺合させて装着することができるようになっている。このとき、収容容器１１の連結部１２の先端側の開口端縁１２ｂが、閉塞部材２５の円筒形状部２５ｃ内の柱状部材２３の基端部２３ａの段差部３２の外側に位置する、円筒部３１の端面３１ｅに突き当たって外装部材２４の底部２４ａ側に押圧するように寸法設定されている。
【００２８】
また、柱状部材２３の基端部２３ａには、図４に示すように、スリット３１ａを９０度回転させた位置に対応する円筒部３１の後端側縁部に切欠部３１ｂが形成されているのに対して、この切欠部３１ｂに対応する位置の外装部材２４の底部２４ａには、突起４５が立設されている。これにより、外装部材３４は、底部２４ａ側に柱状部材２３の基端部２３ａが押し込まれたときに、円筒部３１の後端側縁部に衝止されることなく切欠部３１ｂ内に突起４５を進入させることができる。そして、この切欠部３１ｂの深さや突起４５の高さは、その突起４５が円筒部３１のスリット３１ａ間を横断する接点電極４３の両側のボタン電池３３の接点電極３３ａをスプリング４４の付勢力に抗して押すことによりその接点電極４３から離隔させることができるように設定されている。
【００２９】
したがって、この化粧道具１０では、図５（ａ）に示すように、収容容器１１の連結部１２内に柱状部材２３を差し込んで外装部材２４の閉塞部材２５のネジ山２５ａにその連結部１２のネジ山１２ａを螺合させる方向に相対回転させていくと、連結部１２の開口端縁１２ｂが柱状部材２３の基端部２３ａの円筒部３１の端面３１ｅをスプリング２９の付勢力に抗して奥側に押し込む。言い換えると、外装部材２４は、底部２４ａをその円筒部３１側に接近させて切欠部３１ｂ内に突起４５を進入させることができ、その突起４５がスイッチ機構３４の接点電極４３から離隔する方向にスプリング４４の不勢力に抗してボタン電池３３の接点電極３３ａを直接押圧する状態を維持することができる。このため、化粧道具１０は、柱状部材２３の先端の刷毛２２を収容容器１１内に収納して使用しないときには、発光素子３５へのボタン電池３３からの電力供給を遮断して、自動的に発光素子３５を消灯することができる。
【００３０】
一方、この化粧道具１０では、図５（ｂ）に示すように、収容容器１１の連結部１２のネジ山１２ａと外装部材２４の閉塞部材２５のネジ山２５ａとの螺合を解除する方向に相対回転させて柱状部材２３を引き抜くと、連結部１２の開口端縁１２ｂが柱状部材２３の基端部２３ａの円筒部３１の端面３１ｅから離隔することになる。このとき、円筒部３１内では、ボタン電池３３の接点電極３３ａがスプリング４４の付勢力で突起４５を直接押し出しつつ接点電極４３に接近して導通接触する。また、同時に、その円筒部３１自体も、外装部材２４の底部２４ａからスプリング２９の付勢力で離隔されることにより、突起４５の押圧解除が補助（アシスト）されて、ボタン電池３３の接点電極３３ａと接点電極４３とが積極的に（妨げられることなく）導通接触される。このため、化粧道具１０は、柱状部材２３の先端の刷毛２２を収容容器１１内から引き出して使用するときには、発光素子３５にボタン電池３３から信頼性高く電力供給して、発光素子３５を自動的に点灯することができる。
【００３１】
このように本実施形態においては、収容容器１１に着脱する外装部材２４の底部２４ａに形成されている突起４５でスイッチ機構３４を直接操作してボタン電池３３と接点電極４３の導通接触を接断することにより発光素子３５を点灯・消灯することができ、また、その発光素子３５は、柱状部材２３の一端側端部から導光するように段差部３２内に内蔵して陰を作ることなく照明することができる。したがって、収容容器１１への外装部材２４の着脱（刷毛２２の挿脱）に連動させて、簡易な構造のスイッチ機構３４でオン・オフする単一の発光素子３５の発光光を柱状部材２３内に導光して効果的に照明することができる。この結果、安価で壊れ難い照明機能付きの化粧道具１０を提供することができる。
【００３２】
本実施形態の他の態様としては、上述実施形態では、収容容器１１の連結部１２のネジ山１２ａと外装部材２４の閉塞部材２５のネジ山２５ａとを螺合させる構造を一例にして説明するが、これに限るものではなく、図６に示すように、例えば、収容容器１１の連結部１２の外周面に周方向に延在する周溝１２ｒを形成する一方、外装部材２４の閉塞部材２５側にはその周溝１２ｒに嵌まり込む周リブ２５ｒを形成して、互いに係合させることができるようにしても良い。
【００３３】
なお、図示することは省略するが、連結部１２内に、開口形状を内部側ほど絞る概略漏斗形状に形成されている密閉部材を装着してもよく、この密閉部材１３が、刷毛２２を収容容器１１内に収納する状態のときに、柱状部材２３の外周面に漏斗形状先端を密接させるとともに、その基端部２３ａの円筒部３１の端面３１ｅに漏斗形状大径部を密接させて、その収容容器１１の収容空間Ｓを密閉するようにしてもよい。
【産業上の利用可能性】
【００３４】
これまで本考案の一実施形態について説明したが、本考案は上述の実施形態に限定されず、その技術的思想の範囲内において種々異なる形態にて実施されてよいことは言うまでもない。
【符号の説明】
【００３５】
１０……化粧道具      １１……収容容器      １２……連結部      ２１……化粧道具本体      ２２……刷毛      ２３……柱状部材      ２３ａ……基端部      ２３ｂ……棒状部      ２３ｃ……延在空間      ２４……外装部材      ２４ａ……底部      ２９……スプリング      ３１……円筒部      ３１ｂ……切欠部      ３２……段差部      ３３……ボタン電池      ３３ａ……接点電極      ３４……スイッチ機構      ３５……発光素子      ４３……接点電極      ４４……スプリング      ４５……突起
【図１】
0003154225.tif 000003
【図２】
0003154225.tif 000004
【図３】
0003154225.tif 000005
【図４】
0003154225.tif 000006
【図５】
0003154225.tif 000007
【図６】
0003154225.tif 000008